(57)【要約】【課題】本発明は、洗濯水や洗剤がスピーカに付着するのを簡単な構成で回避できる洗濯乾燥機を提供することを目的とする。【解決手段】本発明は、回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、洗濯運転や乾燥運転に関する情報を音声で提供するスピーカを備え、前記スピーカは前記外枠筐体の前側下部で、前記洗濯水洗剤供給系とは反対側の方に配置したことを特徴とする。【選択図】図１
2010082348.tif 000002
【特許請求の範囲】
【請求項１】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
洗濯運転や乾燥運転に関する情報を音声で提供するスピーカを備え、前記スピーカは前記外枠筐体の前側下部で、前記洗濯水洗剤供給系とは反対側の方に配置したことを特徴とする洗濯乾燥機。
【請求項２】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
前記外枠筐体は、左右の外側板と、背面である後側の補強板と、洗濯物の出し入れで開け閉めされる外蓋を回動自在に支持する前側の補強板と、前記外枠筐体の前側を前記補強板の外側から覆う前面カバーを有し、前記左右の外側板、前記後側の補強板、および前記補強板は鋼板で、前記前面カバーは合成樹脂で形成し、
洗濯運転や乾燥運転に関する情報を音声で提供するスピーカを備え、前記スピーカは前記補強板の表側で、前記洗濯水洗剤供給系とは反対側の方に配置したことを特徴とする洗濯乾燥機。
【請求項３】
回転軸が横になる回転ドラム、この回転ドラムを内置する外槽、前記回転ドラムを回転駆動するモータを含む洗濯機構と、前記洗濯機構を内置する外枠筐体と、前記洗濯機構を
防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、
前記外枠筐体は、左右の外側板と、背面である後側の補強板と、洗濯物の出し入れで開け閉めされる外蓋を回動自在に支持する前側の補強板と、前記外枠筐体の前側を前記補強板の外側から覆う前面カバーと、全体を支える底ベースを有し、前記左右の外側板、前記後側の補強板、および前記補強板は鋼板で、前記前面カバーは合成樹脂で形成し、
洗濯運転や乾燥運転に関する情報を音声で提供するスピーカを備え、前記スピーカは前記補強板の表側で、前記洗濯水洗剤供給系とは反対側の方に配置し、
洗濯運転、乾燥運転の制御や前記スピーカに前記情報の電気信号を供給する制御装置を前記底ベースの前側に配置し、
前記スピーカと制御装置をリード線で接続したことを特徴とする洗濯乾燥機。
【請求項４】
請求項２または３記載の洗濯乾燥機において、
前記補強板は、前記左右の外側板よりも板厚みを厚くし、前記スピーカを前記補強板に螺子で締結したことを特徴とする洗濯乾燥機。
【請求項５】
回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、水道水や風呂水の給水、および洗剤や仕上げ剤の供給を行う洗濯水洗剤供給系を有し、前記外枠筐体の上部に備える前記洗濯水洗剤供給系は左右の何れか側に寄せて配置している洗濯機において、
洗濯運転や乾燥運転に関する情報を音声で提供するスピーカを備え、前記スピーカは前記外枠筐体の前側下部で、前記洗濯水洗剤供給系とは反対側の方に配置したことを特徴とする洗濯機。
【発明の詳細な説明】
【技術分野】
【０００１】
本発明は、衣類の洗濯、あるいは洗濯から乾燥までする手段を備えた洗濯機及び洗濯乾燥機に関する。
【背景技術】
【０００２】
洗濯の運転中に、内槽のアンバランスに異常脱水振動、給排水不良などによるエラー報知で、音声によりエラー内容を告げる音声発生手段を備えた洗濯機は、例えば特開２００２−９８８号公報（特許文献１）に記載されている。
【０００３】
【特許文献１】特開２００２−９８８号公報
【発明の開示】
【発明が解決しようとする課題】
【０００４】
洗濯乾燥機は、回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体を前側から見て左右に振り分け配置した構成をしている。
【０００５】
本発明は、上記構成の洗濯乾燥機に備える音声発生手段のスピーカに関する。スピーカから発生する音声が洗濯乾燥機を使う者に聞き取り易く、スピーカの取り付け組み立ての生産性が良く、洗濯水洗剤供給系から滴下する洗濯水や洗剤の付着を回避などの考慮が必要である。
【０００６】
さらに、上記構成の洗濯乾燥機で前側上部に音声発生手段のスピーカを設けた場合、乾燥空気循環系に隣接してしまうためスピーカ周囲の雰囲気温度が上昇しやすく、設置するスピーカにも耐熱性が必要となり、高価なものとなってしまう問題もある。
【０００７】
本発明は、上記の課題に鑑み、洗濯水や洗剤がスピーカに付着するのを簡単な構成で回避できる洗濯乾燥機を提供することを目的とする。
【課題を解決するための手段】
【０００８】
本発明は、回転軸が横になる回転ドラム、この回転ドラムを内置する外槽、前記回転ドラムを回転駆動するモータを含む洗濯機構と、前記洗濯機構を内置する外枠筐体と、前記洗濯機構を防振支持する防振支持機構と、前記外槽の後側下部から流出する乾燥空気を除湿しながら上方に送風手段上方で導き、ヒータで加熱を加えて再び前記外槽の前寄り上部に前記乾燥空気を送り込む乾燥空気循環系と、水道水や風呂水の給水、および洗剤や仕上げ剤の供給を行う洗濯水洗剤供給系を備え、前記乾燥空気循環系と前記洗濯水洗剤供給系が前記外枠筐体の上部で前側から見て左右に振り分け配置されている洗濯乾燥機において、洗濯運転や乾燥運転に関する情報を音声で提供するスピーカを備え、前記スピーカは前記外枠筐体の前側下部で、前記洗濯水洗剤供給系とは反対側の方に配置したことを特徴とする。
【発明の効果】
【０００９】
本発明は、スピーカが外枠筐体の前側下部で、洗濯水洗剤供給系とは反対側の方に配置する簡単な構成で、滴下する洗濯水や洗剤の付着を回避できる。
【発明を実施するための最良の形態】
【００１０】
本発明の実施例に関し、図１〜図１２を引用して説明する。
【００１１】
まず、図１〜図１１に沿って洗濯乾燥機の概要を述べる。
【００１２】
図１はドラム式の洗濯乾燥機の外観図である。図４は内部の構造を示すために筐体の一部を切断して示した斜視図、図５は内部の構造を示すために背面カバーを取り外した背面図、図２は内部の構造を示す側面図、図３は内部の構造を示すために筐体の一部を切断して示した平面図である。
【００１３】
図６は図２に相当する側面図で前側の補強板、およびスピーカを追加したところが図２との違いである。図７は図４に相当する斜視図で前側の補強板、およびスピーカを追加したところが図４との違いである。図８は、前面カバー上面カバー、下部前面カバーを外して洗濯乾燥機を前側から見た正面図である。図９は、前面カバー上面カバー、下部前面カバーを外して洗濯乾燥機を上から見た平面図である。図１０は、前側の補強板を主に前側から見た正面図である。図１１は、図１０のＡ部拡大図である。
【００１４】
この洗濯乾燥機は、回転軸が横になる回転ドラムを備えるドラム式洗濯乾燥機である。洗濯乾燥機の外枠筐体１は、底ベース１ｈと、この底ベース１ｈの上に取り付けられる左右の外側板１ａ，１ｂと、前側の補強板１ｇと、この前側の補強板１ｇを補強板１ｇの外側から覆う前面カバー１ｃ、後側の補強板（図示せず）、背面カバー１ｄ、上面カバー１ｅ、下部前面カバー１ｆを有する。
【００１５】
前面カバー１ｃ、上面カバー１ｅ、下部前面カバー１ｆは、合成樹脂の板材で形成される。
【００１６】
左右の外側板１ａ，１ｂと、前側の補強板１ｇと、後側の補強板は、鋼鈑で形成されている。左右の外側板１ａ，１ｂは、上側をコ字型した上側の補強板（図示せず）、前側を前側の補強板１ｇ、後側を補強板（図示せず）で結合されて枠体になっている。この枠体を載置する底ベース１を含めて箱状の筐体になっている。枠体を作る各板材、および底ベース１は螺子で締結され、十分な強度を有する筐体になる。
【００１７】
また、前側の補強板１ｇ、後側の補強板（図示せず）は、左右の外側板１ａ，１ｂよりも板厚を厚くして補強を高めている。
【００１８】
前面カバー１ｃの略中央に設けた衣類を出し入れするための投入口を塞ぐドア９は、前側の補強板１ｇに設けたヒンジで開閉可能に支持されている。ドア開放ボタン９ｄ（図１に示す）を押すことでロック機構（図示せず）が外れてドア９が開く。ドアは、閉じて前面カバー１ｃに押し付けることでロック機構にロックされる。前側の補強板１ｇは、後述する外槽の開口部と同心的に設けられた円形の開口部を有する。この円形の開口部を通じて衣類の出し入れが行われる。
【００１９】
操作パネル６は、洗濯乾燥機の外枠筐体１の上部中央に設けられる。この操作パネルに電源スイッチ３９，操作スイッチ１２，１３，表示器１４を備える。操作パネル６は、外枠筐体１を構成する底ベース１の前側に設けた制御装置３８に電気的に接続している。
【００２０】
洗濯兼脱水槽（回転ドラム）３は、回転可能に支持され、円筒形状をしている。回転ドラム３は、外周壁および底壁に通水および通風のための多数の貫通孔を有し、前側端面に衣類を出し入れするための開口部３ａを設けてある。開口部３ａの外側には洗濯兼脱水槽３と一体の流体バランサ３ｃを備えている。
【００２１】
外周壁の内側には軸方向に延びるリフタ３ｂが複数個設けられ、洗濯，乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００２２】
外槽２は円筒形状をしている。外槽２は洗濯兼脱水槽３を内包し、洗濯兼脱水槽３とは同心的な関係に置かれる。外槽２の前面は開口し、後側端面の外側中央にはモータ４を取り付ける。モータ４の回転軸は、外槽２を貫通し、洗濯兼脱水槽３と結合している。外槽２の前面開口部には外槽カバー２ｄを設け、外槽内への貯水を可能としている。
【００２３】
外槽カバー２ｄの前側中央には、衣類を出し入れするための開口部２ｃを有している。この開口部２ｃと前側の補強材１ｇに設けた開口部は、ゴム製のベローズ１０で接続しており、ドア９を閉じることで外槽２を水封する。
【００２４】
外槽２、洗濯兼脱水槽（回転ドラム）３、モータ４などを含めて洗濯機構という。
【００２５】
外槽２の底面最下部には、排水口２ｂ（図２に示す）が設けてあり、排水ホース２６が接続されている。排水ホース２６の途中には排水弁（図示せず）が設けてあり、排水弁を閉じて給水することで外槽２に水を溜め、排水弁を開いて外槽２内の水を機外へ排出する。
【００２６】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向への倒れを防ぐ。
【００２７】
サスペンション５、補助ばね（図示せず）などを含めて防振支持機構という。
【００２８】
洗剤容器１９は外枠筐体１内の上部左側に設けられ、そこに設けられて前部開口から引き出し式の洗剤トレイ７を装着する。洗剤類を入れる場合は、洗剤トレイ７を図１に示す二点鎖線で表示したように引き出す。洗剤容器１９は、外枠筐体１を構成する前述した上側の補強板（図示せず）に固定されている。
【００２９】
洗剤容器１９の後側には、図１、図５に示すように、給水電磁弁１６や風呂水給水ポンプ１７，水位センサ（図示せず）など給水に関連する部品を設けてある。上面カバー１ｅには、水道栓からの給水ホース接続口１６ａ，風呂の残り湯の吸水ホース接続口１７ａが設けてある。洗剤容器１９は、外槽２に接続されており、給水電磁弁１６を開く、あるいは風呂水給水ポンプ１７を運転することで、外槽２に洗濯水を供給する。
【００３０】
洗剤容器１９、洗剤トレイ７、給水電磁弁１６、風呂水給水ポンプ１７などを含めて洗濯水洗剤供給系という。この洗濯水洗剤供給系は外枠筐体１内の上部左側にまとめて設けられる。
【００３１】
乾燥ダクト２９は、図２、図５に示すように、外枠筐体１の背面内側に縦方向に設置する。この乾燥ダクト２９は、ダクト下部が外槽２の背面下方に設けた吸気口２ａにゴム製の蛇腹管Ｂ２９ａをもって接続される。乾燥ダクト２９内には、水冷除湿機構（図示せず）を内蔵しており、給水電磁弁１６から水冷除湿機構へ冷却水を供給する。冷却水は乾燥ダクト２９の壁面を伝わって流下し、吸気口２ａから外槽２に入り排水口２ｂから排出される。
【００３２】
乾燥ダクト２９の上部は、図３、図４に示すように、外枠筐体１内の上部右側に前後方向に設置したフィルタダクト２７に接続している。フィルタダクト２７の前面には開口部を有しており、この開口部に引き出し式の乾燥フィルタ８を挿入してある。乾燥ダクト２９からフィルタダクト２７へ入った空気は、乾燥フィルタ８のメッシュフィルタ８ａに流入し糸くずが除去される。
【００３３】
乾燥フィルタ８の掃除は、乾燥フィルタ８を引き出してメッシュ式のフィルタ８ａを取り出して行う。また、フィルタダクト２７の乾燥フィルタ挿入部の下面には開口部が設けてあり、この開口部は吸気ダクト３３が接続しており、吸気ダクト３３の他端は送風ユニット２８の吸気口と接続している。
【００３４】
送風ユニット２８は、駆動用のモータ２８ａ，ファン羽根車（図示せず）、ファンケース２８ｂで構成されている。ファンケース２８ｂにはヒータが内蔵されており、ファン羽根車から送られる空気を加熱する。送風ユニット２８の吐出口は温風ダクト３０に接続する。
【００３５】
温風ダクト３０は、図２、図４に示すように、ゴム製の蛇腹管３０ａ，蛇腹管継ぎ手３０ｂを介して、外槽カバー２ｄに設けた温風吹き出し口３２に接続している。送風ユニット２８が筐体１内の上部右側に設けてあるので、温風吹き出し口３２は外槽カバー２ｄの右斜め上の位置に設け、温風吹き出し口３２までの距離を極力短くするようにしてある。
【００３６】
これらの乾燥ダクト２９、フィルタダクト２７、乾燥フィルタ８、吸気ダクト３３、送風ユニット２８、ヒータ、蛇腹管３０ａなどを含めて乾燥空気循環系という。この乾燥空気循環系は、外槽の後側下部から流出する乾燥空気を除湿しながら上方に送風手段上方で導き、ヒータで加熱を加えて再び外槽の前寄り上部に乾燥空気を送り込む構成になるもので、外枠筐体１の上右側にまとめて設けられる。
【００３７】
前述した洗濯水洗剤供給系は外枠筐体１内の上左側に、乾燥空気循環系は外枠筐体１内の上右側であるので、洗濯水洗剤供給系と乾燥空気循環系は外枠筐体１を前側から見て左右に振り分けた配置になっている。
【００３８】
スピーカ１００は、図７、図１０に示すように、前側の補強板１ｇの右下側表面に設けられ、図１１に示すように二本の螺子１０１を用いて補強板１ｇに締結されている。スピーカ１００は図１２に示す制御回路から供給される情報の電気信号で音声を発生する。スピーカ１００が音声で提供する情報は、洗濯乾燥機の洗濯運転や乾燥運転に関する内容である。
【００３９】
制御回路は、マイクロコンピュータ１２０、負荷駆動手段１２１、各種負荷、電源回路、各種センサ、各種スイッチ、スピーカ１００、音声発生ＩＣ１２２を含む。マイクロコンピュータ１２０、負荷駆動手段１２１、音声発生ＩＣ１２２は制御基板に組み込まれて制御装置３８となっている。この制御装置３８は、図６〜図８に示すように、外枠筐体１を構成する底ベース１ｈの前側に設けられる。制御装置３８は塵埃や水滴を避けるために制御箱に収められている。スピーカ１００は、図８に示すように、制御装置３８に設けられている音声発生ＩＣ１２２とリード線１５０で接続されている。
【００４０】
スピーカ１００は前側の補強板１ｇの右下側表面に設けられので、洗濯水洗剤供給系や乾燥空気循環系から離れた下方であるととも洗濯水洗剤供給系とは反対側の方に位置することになる。このため洗濯水洗剤供給系から洗濯水や洗剤が滴下してもスピーカ１００に付着することは避けられる。これにより、スピーカへの水付着による故障やさびの発生を回避できるだけでなく、水付着により絶縁抵抗が低下することがなくなり、使用者が本体に接触したときに感電する恐れをなくすことができる。
【００４１】
スピーカ１００は厚手の鋼鈑で作られた前側の補強板１ｇに螺子で締結されるので、合成樹脂の板材の前面カバー１ｃや薄手の鋼鈑で作られた外側板１ａ，１ｂに取り付けるのとは違い音質の良い聞き取り易い音声による情報提供が行われる。
【００４２】
また、スピーカ１００は前側の補強板１ｇの表側に置かれるので、内側に置くのとは違い、こもった音声にならず聞き易い。
【００４３】
また、スピーカ１００は前側の補強板１ｇの下側隅部近傍に取り付けるので、洗濯水洗剤供給系や乾燥空気循環系から離間したところに置かれる。このため、乾燥空気循環系からの熱影響を受け難くので、温度上昇することがなく、スピーカには耐熱性が不要となり高価なスピーカを使う必要がなくなる。
【００４４】
さらに、洗濯水洗剤供給系や乾燥空気循環系を構成する部品との接触や干渉がなく、組み立て作業がし易い。それに加え、スピーカ１００に電気情報信号を供給する制御装置３８に近いのでリード線１５０が短く、配線が容易でノイズが入るのを避けることができる。
【図面の簡単な説明】
【００４５】
【図１】本発明の一実施形態に係る洗濯乾燥機の外観図である。
【図２】本発明の一実施形態に係るもので、内部の構造を示す洗濯乾燥機の側面図である。
【図３】本発明の一実施形態に係るもので、内部の構造を示すために筐体の一部を切断して示した洗濯乾燥機の平面図である。
【図４】本発明の一実施形態に係るもので、内部の構造を示すために筐体の一部を切断して示した洗濯乾燥機の斜視図。
【図５】本発明の一実施形態に係るもので、内部の構造を示すために背面カバーを取り外した洗濯乾燥機の背面図である。
【図６】本発明の一実施形態に係るもので、図２に相当する側面図である。前側の補強板にスピーカを追加した違いを示している。
【図７】本発明の一実施形態に係るもので、図４に相当する斜視図である。前側の補強板にスピーカを追加した違いを示している。
【図８】本発明の一実施形態に係るもので、前面カバー上面カバー、下部前面カバーを外して洗濯乾燥機を前側から見た正面図である。
【図９】本発明の一実施形態に係るもので、前面カバー上面カバー、下部前面カバーを外して洗濯乾燥機を上から見た平面図である。
【図１０】本発明の一実施形態に係るもので、前側の補強板を主に前側から見た正面図である。
【図１１】本発明の一実施形態に係るもので、図１０のＡ部拡大図である。
【図１２】本発明の一実施形態に係るもので、洗濯乾燥機の制御回路を示す図である。
【符号の説明】
【００４６】
１…外枠筐体、２…外槽、２ｄ…外槽カバー、３…洗濯兼脱水槽、４，２８ａ…モータ、６…操作パネル、８…乾燥フィルタ、９…ドア、１６…給水電磁弁、２７…フィルタダクト、２８…送風ユニット、２８ｂ…ファンケース、２９…乾燥ダクト、３２…温風吹出し口、３３…吸気ダクト、３８…制御装置、１ｈ…底ベース、１ａ，１ｂ…左右の外側板、１ｇ…前側の補強板、１ｃ…前面カバー、１ｄ…背面カバー、１ｅ…上面カバー、１ｆ…下部前面カバー、１００…スピーカ、１２２…音声発生ＩＣ、１５０…リード線。
【図１】
2010082348.tif 000003
【図２】
2010082348.tif 000004
【図３】
2010082348.tif 000005
【図４】
2010082348.tif 000006
【図５】
2010082348.tif 000007
【図６】
2010082348.tif 000008
【図７】
2010082348.tif 000009
【図８】
2010082348.tif 000010
【図９】
2010082348.tif 000011
【図１０】
2010082348.tif 000012
【図１１】
2010082348.tif 000013
【図１２】
2010082348.tif 000014